(57)【要約】【課題】  ＣＤ、ＤＶＤ、ＢＤ（Blu-ray Disc）等の複数種類の光学ディスクに対する記録・再生が可能であり、且つＡＶ用途のみならずＰＣ用内蔵ストレージへの展開も可能な小型の光ディスク装置を提供する。【解決手段】  光ディスク装置１では、ＣＤ／ＤＶＤコンボ用の光学ピックアップ１０ａとＢＤ用の光学ピックアップ１０ｂとが、スピンドルモータ１２を挟んで対向に固定配置されており、ボールネジ１５、駆動モータ１６及びガイド軸１７等で構成される送り機構により、スピンドルモータ１２を光学ピックアップ１０ａ，１０ｂ間で移動させる。【選択図】  図４
2005056487.tif 000002
【特許請求の範囲】
【請求項１】
光学ディスクの中心部分を保持して該光学ディスクを回転操作する回転操作手段と、
それぞれ第１，第２の集光手段と、上記第１，第２の集光手段に対して光束を入射させる第１，第２の光源と、上記第１，第２の光源から発せられ上記第１，第２の集光手段により上記光学ディスクの信号記録面上に集光され該信号記録面から反射された光束を検出する第１，第２の光検出器とを有し、上記回転操作手段に対して互いに対向する位置に設けられた第１，第２の光学ピックアップと、
上記回転操作手段を上記第１，第２の光学ピックアップ間で移動操作する移動操作手段と
を備えることを特徴とする光ディスク装置。
【請求項２】
上記第１の光源と上記第２の光源とは、互いに異なる波長の光束を発することを特徴とする請求項１記載の光ディスク装置。
【請求項３】
上記第１，第２の光学ピックアップは、上記第１の集光手段により上記信号記録面の最内周位置に集光可能である場合に、上記第２の集光手段により上記信号記録面の最外周位置に集光可能であり、上記第１の集光手段により上記信号記録面の最外周位置に集光可能である場合に、上記第２の集光手段により上記信号記録面の最内周位置に集光可能である位置に設けられていることを特徴とする請求項１記載の光ディスク装置。
【請求項４】
上記第１，第２の光学ピックアップは、上記第１，第２の光源と異なる波長の光束を発する少なくとも１つの光源をさらに有していることを特徴とする請求項１記載の光ディスク装置。
【発明の詳細な説明】
【技術分野】
【０００１】
本発明は、例えばＣＤ（Compact Disc）、ＤＶＤ（Digital Versatile Disc）、ＢＤ（Blu-ray Disc）等の複数種類の光学ディスクに対する記録・再生が可能な光ディスク装置に関する。
【背景技術】
【０００２】
現在、例えばＣＤやＤＶＤ、或いは次世代光学ディスクであるＢＤなど、記録密度、フォーマットの異なる互換性のない光学ディスクが種々提案されている。これらは、基本的な物理パラメータが異なり、レーザ波長がそれぞれ７８０ｎｍ、６５０ｎｍ、４０５ｎｍ、カバー層厚がそれぞれ１．２ｍｍ、０．６ｍｍ、０．１ｍｍと、短波長化・薄化が進んでいる。このように、基本的な物理パラメータが異なっているにも拘わらず、ディスクサイズがφ１２０ｍｍ、ｔ１．２ｍｍと規格で統一されているため、光ディスク装置としては、複数種類の光学ディスクの記録・再生が可能であることが要求されている。さらに、ＣＤ／ＤＶＤ用のコンボ光ディスク装置が市場に普及し始めており、今後はＢＤにも対応したコンボ光ディスク装置の開発に焦点が集まっている。
【０００３】
このような記録密度の異なる互換性のない光学ディスクに対して、同一の光ディスク装置でデータを記録・再生する第１の方法としては、例えばＣＤ、ＤＶＤ及びＢＤの光学ディスクそれぞれの光源の波長に対応する３波長対応型の対物レンズを光学ピックアップに設けることが考えられる。この場合、光源及び光学ピックアップ内の光学素子としては、それぞれの波長に対応した部品が必要となる可能性は残るが、少なくとも対物レンズを搭載した２軸アクチュエータを共通化することができる。
【０００４】
また、第２の方法としては、下記特許文献１記載の技術を応用して、ＣＤ／ＤＶＤ用の２波長対応型の対物レンズと、ＢＤ用の対物レンズとの、２つの対物レンズを１つの２軸アクチュエータに搭載することが考えられる。この場合にも、光源及び光学ピックアップ内の光学素子としては、それぞれの波長に対応した部品が必要となる可能性は残るが、少なくとも２軸アクチュエータを共通化することができる。
【０００５】
また、第３の方法としては、固定されたスピンドルモータを挟んで、それぞれ送り機構を有するＣＤ／ＤＶＤコンボ用の光学ピックアップとＢＤ用の光学ピックアップとを対向に配置し、それぞれの光学ピックアップをガイド軸に沿って移動させることが考えられる。
【０００６】
【特許文献１】国際公開第９７／４２６３２号パンフレット
【発明の開示】
【発明が解決しようとする課題】
【０００７】
しかしながら、上述した第１の方法の場合、３波長対応型の対物レンズを製造することが困難であるため、実現性・コスト面で問題が残る。
【０００８】
また、上述した第２の方法の場合、記録密度の異なる光学ディスクによって、対物レンズ端面と光学ディスク記録層までのワーキングディスタンスが異なるため、基準状態で実現可能な光学ディスクを除く全ての光学ディスクにおいて、記録・再生する度にワーキングディスタンスを調整する必要があるという問題がある。また、複数の対物レンズ間のスキューを、それぞれの光学ディスクのスキューマージン内に収めるか、或いは基準状態でスキューマージンを外れる全ての光学ディスクについて、記録・再生する度にスキューを調整する必要があるという問題がある。
【０００９】
また、上述した第３の方法の場合、２つの送り機構を有するために、光学ディスク装置が奥行き方向（ガイド軸方向）に長大化してしまう。このため、ＡＶ（Audio/Visual）用途のみならずＰＣ（Personal Computer）用内蔵ストレージへの展開を考えた場合に、いわゆるハーフハイトの内蔵ドライブベイ（約４２Ｈ×約１４６Ｗ×約２００Ｄｍｍ）のサイズ内に収めることができないという問題がある。
【００１０】
本発明は、このような従来の実情に鑑みて提案されたものであり、例えばＣＤ、ＤＶＤ、ＢＤ等の複数種類の光学ディスクに対する記録・再生が可能であり、且つＡＶ用途のみならずＰＣ用内蔵ストレージへの展開も可能な小型の光ディスク装置を提供することを目的とする。
【課題を解決するための手段】
【００１１】
上述した目的を達成するために、本発明に係る光ディスク装置は、光学ディスクの中心部分を保持して該光学ディスクを回転操作する回転操作手段と、それぞれ第１，第２の集光手段と、上記第１，第２の集光手段に対して光束を入射させる第１，第２の光源と、上記第１，第２の光源から発せられ上記第１，第２の集光手段により上記光学ディスクの信号記録面上に集光され該信号記録面から反射された光束を検出する第１，第２の光検出器とを有し、上記回転操作手段に対して互いに対向する位置に設けられた第１，第２の光学ピックアップと、上記回転操作手段を上記第１，第２の光学ピックアップ間で移動操作する移動操作手段とを備える。
【００１２】
このような光ディスク装置では、第１，第２の光学ピックアップが回転操作手段を挟んで対向に配置されており、移動操作手段により回転操作手段を第１，第２の光学ピックアップ間で移動操作する。
【発明の効果】
【００１３】
本発明に係る光ディスク装置によれば、第１，第２の光学ピックアップを回転操作手段を挟んで対向に配置し、移動操作手段により回転操作手段を第１，第２の光学ピックアップ間で移動操作するため、第１，第２の光学ピックアップについてそれぞれ移動操作手段を設ける場合よりも小型化することができ、ＰＣ用内蔵ストレージへの展開も可能となる。
【発明を実施するための最良の形態】
【００１４】
以下、本発明を適用した具体的な実施の形態について、図面を参照しながら詳細に説明する。この実施の形態は、本発明を、例えばＣＤ、ＤＶＤ、ＢＤ等の複数種類の光学ディスクに対して記録・再生を行う光ディスク装置に適用したものである。
【００１５】
先ず、本実施の形態における光ディスク装置について説明する前に、ＣＤ、ＤＶＤ及びＢＤに対する記録・再生が可能な光ディスク装置として従来考えられる構成について、幾つか例を挙げて説明する。
【００１６】
第１の例としては、図１に示すように、ＣＤ、ＤＶＤ及びＢＤの光学ディスクそれぞれの光源の波長に対応した３波長対応型の対物レンズ１０１を光学ピックアップ１００に設けることが挙げられる。この場合、光源及び光学ピックアップ１００内の光学素子としては、それぞれの波長に対応した部品が必要となる可能性は残るが、少なくとも対物レンズ１０１を搭載した２軸アクチュエータ１０２を共通化することができる。したがって、光学ピックアップ１００はスピンドルモータ１０３から見て片側に配置することができるため、光学ピックアップ１００の送り機構は１つでよく、奥行き方向は従来の大きさを踏襲することができる。しかしながら、３波長対応型の対物レンズ１０１の製造は困難であり、実現性・コスト面で問題が残る。
【００１７】
次に第２の例としては、図２に示すように、ＣＤ／ＤＶＤ用の２波長対応型の対物レンズ１１１ａとＢＤ用の対物レンズ１１１ｂとを１つの２軸アクチュエータ１１２に搭載することが挙げられる。この場合、光源及び光学ピックアップ１１０内の光学素子としては、それぞれの波長に対応した部品が必要となる可能性は残るが、少なくとも対物レンズ１１１ａ，１１１ｂを搭載した２軸アクチュエータ１１２を共通化することができる。したがって、光学ピックアップ１１０はスピンドルモータ１１３から見て片側に配置することができるため、光学ピックアップ１１０の送り機構は１つでよく、奥行き方向は従来の大きさを踏襲することができる。
【００１８】
しかしながら、記録密度の異なる光学ディスクによって、対物レンズ端面と光学ディスクの信号記録層までのワーキングディスタンスが異なるために、基準状態で実現可能な光学ディスクを除く全ての光学ディスクにおいては、記録・再生する度にワーキングディスタンスを調整する必要がある。
【００１９】
また、複数の対物レンズ間のスキューを、それぞれの光学ディスクのスキューマージン内に収めるか、又は基準状態でスキューマージンを外れる全ての光学ディスクについて、記録・再生する度にスキューを調整する必要がある。
【００２０】
また、対物レンズの配置に応じて、２つの対物レンズ中心をガイド軸１１４の直行軸上に配置した場合、スピンドルモータ１１３の中心を通りガイド軸１１４に平行な軸上にレンズ中心が配置されない対物レンズを用いる光学ディスクは、対物レンズ中心が前記直線上からずれた状態でも実現すること、或いは記録・再生する度に対物レンズ中心が前記直線上に配置されるように、光学ピックアップ１１０が移動する必要がある。一方、２つの対物レンズ中心を、スピンドルモータ１１３の中心を通りガイド軸１１４に平行な軸上に配置した場合、スピンドルモータ１１３から遠い位置に配置された対物レンズによって光学ディスクの最内周を記録・再生することが、位置関係的に困難になる。
【００２１】
さらに、２つの対物レンズ１１１ａ，１１１ｂを１つの２軸アクチュエータ１１２に搭載することで可動部重量が増加し、２軸アクチュエータ１１２の動的な性能が劣化するという問題がある。
【００２２】
続いて第３の例としては、図３に示すように、固定されたスピンドルモータ１２３を挟んで、それぞれ送り機構を有するＣＤ／ＤＶＤコンボ用の光学ピックアップ１２０ａとＢＤ用の光学ピックアップ１２０ｂとを対向に配置し、それぞれの光学ピックアップ１２０ａ，１２０ｂをガイド軸１２４に沿って移動させることが挙げられる。しかしながら、この場合、２つの送り機構を有するため、光学ディスク装置が奥行き方向（ガイド軸１２４方向）に長大化してしまう。このため、ＡＶ用途のみならずＰＣ用内蔵ストレージへの展開を考えた場合に、いわゆるハーフハイトの内蔵ドライブベイのサイズ内に収めることができないという問題がある。
【００２３】
そこで、本実施の形態における光ディスク装置では、以下に説明するように、例えばＣＤ／ＤＶＤコンボ用の光学ピックアップと例えばＢＤ用の光学ピックアップとを、スピンドルモータ（回転操作手段）を挟んで対向に配置し、スピンドルモータに付随した送り機構（移動操作手段）により、スピンドルモータをガイド軸に沿って２つの光学ピックアップ間で移動させる。
【００２４】
本実施の形態における光ディスク装置の概略構成を図４に示す。図４に示すように、本実施の形態における光ディスク装置１は、例えばＣＤ／ＤＶＤコンボ用である光学ピックアップ１０ａと、例えばＢＤ用である光学ピックアップ１０ｂと、光学ディスク３０をクランプするターンテーブル１１と、光学ディスク３０を回転させるスピンドルモータ１２と、リードナット１３の配設されたスピンドルモータ基台１４と、ボールネジ１５の配設された駆動モータ１６と、ガイド軸１７と、軸受け１８とがシャーシ２３に搭載されて構成されたものである。ここで、リードナット１３、スピンドルモータ基台１４、ボールネジ１５、駆動モータ１６、ガイド軸１７及び軸受け１８により、スピンドルモータ１２の送り機構が構成される。
【００２５】
光学ピックアップ１０ａ，１０ｂは、集光手段としての対物レンズ１９ａ，１９ｂと、この対物レンズ１９ａ，１９ｂに対して、それぞれの光学ディスクシステムに対応した波長のレーザ光を入射させる光源２０ａ，２０ｂと、光検出器としてのフォトディテクタ２１ａ，２１ｂとをそれぞれ有する。この光学ピックアップ１０ａ，１０ｂは、対物レンズ１９ａ，１９ｂを搭載した２軸アクチュエータ２２ａ，２２ｂによって、光学ディスク３０の信号記録面に焦点を結ぶように、且つ所望の記録トラックに追従するように制御される。信号成分を含んだ信号記録面からの反射光は、対物レンズ１９ａ，１９ｂを通過して再び光学ピックアップ１０ａ，１０ｂに入射し、フォトディテクタ２１ａ，２１ｂで検出される。
【００２６】
なお、ＣＤ／ＤＶＤコンボ用の光学ピックアップ１０ａとしては、種々の形態が存在するが、対物レンズ１９ａがＣＤ／ＤＶＤの２波長対応であり、ＣＤ用の光源が集積素子として、ＤＶＤ用の光源がＣＡＮパッケージとして、合わせて２つの光源を有する形態が最も一般的である。
【００２７】
光学ピックアップ１０ａ，１０ｂは、光学ディスク３０の所望の記録トラックにレーザスポットを追従させるために、対物レンズ１９ａ，１９ｂを搭載した２軸アクチュエータ２２ａ，２２ｂを有するが、２軸アクチュエータ２２ａ，２２ｂのトラック方向のストロークは、φ１２０ｍｍの光学ディスク３０の大きさに比較して小さいために、スパイラル状で連続に（若しくは同心円状で不連続に）、外周から内周へ（若しくは内周から外周へ）と信号を記録・再生し続ける場合、又はトラックジャンプを行う場合には、スピンドルモータ１２と光学ピックアップ１０ａ，１０ｂの相対位置を粗調精度で送る、又は高速に移動させる必要がある。
【００２８】
また、光学ディスク３０がＣＤ又はＤＶＤである場合には光学ディスク３０を光学ピックアップ１０ａの方向に、光学ディスク３０がＢＤである場合には光学ディスク３０を光学ピックアップ１０ｂの方向に、それぞれ移動させる必要がある。
【００２９】
そこで、本実施の形態における光ディスク装置１では、上述したスピンドルモータ１２の送り機構を用いることにより、駆動モータ１６によるボールネジ１５の回転運動をリードナット１３によって直線運動に変換し、リードナット１３の配設されたスピンドルモータ基台１４をガイド軸１７に沿って２つの光学ピックアップ１０ａ，１０ｂ間で移動させる。
【００３０】
このとき、送り機構を有するスピンドルモータ１２と２つの光学ピックアップ１０ａ，１０ｂとの位置関係は、各光学ピックアップ１０ａ，１０ｂによって光学ディスク３０の信号記録面の最内周から最外周までの記録・再生が実現できるよう、光学ピックアップ１０ａによって光学ディスク３０の最内周（最外周）の記録・再生が可能である場合に、光学ピックアップ１０ｂによって光学ディスク３０の最外周（最内周）の記録・再生が可能であるように配置することが好ましい。
【００３１】
以上のように、本実施の形態における光ディスク装置１によれば、ＣＤ／ＤＶＤコンボ用の光学ピックアップ１０ａとＢＤ用の光学ピックアップ１０ｂとを、スピンドルモータ１２を挟んで対向に配置し、送り機構によりスピンドルモータ１２を光学ピックアップ１０ａ，１０ｂ間で移動させるようにしているため、ＣＤ、ＤＶＤ及びＢＤに対する記録・再生が可能となる。
【００３２】
特に、光学ピックアップ１０ａ，１０ｂのそれぞれに送り機構を付随させるのではなく、スピンドルモータ１２に送り機構を付随させているため、送り機構が１つしか必要なく、奥行き方向（ガイド軸１７方向）への小型化を実現することができ、ＡＶ用途のみならずＰＣ用内蔵ストレージへの展開も可能となる。
【００３３】
なお、本発明は上述した実施の形態のみに限定されるものではなく、本発明の要旨を逸脱しない範囲において種々の変更が可能であることは勿論である。
【産業上の利用可能性】
【００３４】
例えばＣＤ、ＤＶＤ及びＢＤ等の複数種類の光学ディスクに対する記録・再生が可能であり、且つそのサイズをいわゆるハーフハイトの内蔵ドライブベイのサイズ内に収めることができるため、ＡＶ用途のみならず、ＰＣ用内蔵ストレージへの展開が可能となる。
【図面の簡単な説明】
【００３５】
【図１】ＣＤ、ＤＶＤ及びＢＤに対する記録・再生が可能な光ディスク装置として従来考えられる第１の例を示す図である。
【図２】ＣＤ、ＤＶＤ及びＢＤに対する記録・再生が可能な光ディスク装置として従来考えられる第２の例を示す図である。
【図３】ＣＤ、ＤＶＤ及びＢＤに対する記録・再生が可能な光ディスク装置として従来考えられる第３の例を示す図である。
【図４】本実施の形態における光ディスク装置の概略構成を説明する図である。
【符号の説明】
【００３６】
１  光ディスク装置、１０ａ，１０ｂ  光学ピックアップ、１１  ターンテーブル、１２  スピンドルモータ、１３  リードナット、１４  スピンドルモータ基台、１５  ボールネジ、１６  駆動モータ、１７  ガイド軸、１８  軸受け、１９ａ，１９ｂ  対物レンズ、２０ａ，２０ｂ  光源、２１ａ，２１ｂ  フォトディテクタ、２２ａ，２２ｂ  ２軸アクチュエータ、２３  シャーシ、３０  光学ディスク
【図１】
2005056487.tif 000003
【図２】
2005056487.tif 000004
【図３】
2005056487.tif 000005
【図４】
2005056487.tif 000006
【手続補正書】
【提出日】平成16年9月3日(2004.9.3)
【手続補正１】
【補正対象書類名】特許請求の範囲
【補正対象項目名】全文
【補正方法】変更
【補正の内容】
【特許請求の範囲】
【請求項１】
光学ディスクの中心部分を保持して該光学ディスクを回転操作する回転操作手段と、
それぞれ集光手段と、少なくとも１以上の波長の光ビームを発生する光源と、上記光源から発せられ上記集光手段により上記光学ディスクの信号記録面上に集光され該信号記録面から反射された光束を検出する光検出器とを有し、上記回転操作手段に対して互いに対向する位置に設けられた第１，第２の光学ピックアップと、
上記回転操作手段を上記第１，第２の光学ピックアップ間で移動させる移動手段と
を備えることを特徴とする光ディスク装置。
【請求項２】
上記第１の光学ピックアップと上記第２の光学ピックアップとは、互いに異なる波長の光束を発する光源を有することを特徴とする請求項１記載の光ディスク装置。
【請求項３】
上記第１，第２の光学ピックアップは、上記第１の光学ピックアップの集光手段により上記信号記録面の最内周位置に集光可能である場合に、上記第２の光学ピックアップの集光手段により上記信号記録面の最外周位置に集光可能であり、上記第１の光学ピックアップの集光手段により上記信号記録面の最外周位置に集光可能である場合に、上記第２の光学ピックアップの集光手段により上記信号記録面の最内周位置に集光可能である位置に設けられていることを特徴とする請求項１記載の光ディスク装置。
【手続補正２】
【補正対象書類名】明細書
【補正対象項目名】０００３
【補正方法】変更
【補正の内容】
【０００３】
このような記録密度の異なる互換性のない光学ディスクに対する記録再生が可能な光ディスク装置として従来考えられる第１の例としては、図２に示すように、ＣＤ、ＤＶＤ及びＢＤの光学ディスクそれぞれの光源の波長に対応した３波長対応型の対物レンズ１０１を光学ピックアップ１００に設けることが挙げられる。この場合、光源及び光学ピックアップ１００内の光学素子としては、それぞれの波長に対応した部品が必要となる可能性は残るが、少なくとも対物レンズ１０１を搭載した２軸アクチュエータ１０２を共通化することができる。したがって、光学ピックアップ１００はスピンドルモータ１０３から見て片側に配置することができるため、光学ピックアップ１００の送り機構は１つでよく、奥行き方向は従来の大きさを踏襲することができる。
【手続補正３】
【補正対象書類名】明細書
【補正対象項目名】０００４
【補正方法】変更
【補正の内容】
【０００４】
また、第２の例としては、下記特許文献１記載の技術を応用して、図３に示すように、ＣＤ／ＤＶＤ用の２波長対応型の対物レンズ１１１ａとＢＤ用の対物レンズ１１１ｂとを１つの２軸アクチュエータ１１２に搭載することが挙げられる。この場合、光源及び光学ピックアップ１１０内の光学素子としては、それぞれの波長に対応した部品が必要となる可能性は残るが、少なくとも対物レンズ１１１ａ，１１１ｂを搭載した２軸アクチュエータ１１２を共通化することができる。したがって、光学ピックアップ１１０はスピンドルモータ１１３から見て片側に配置することができるため、光学ピックアップ１１０の送り機構は１つでよく、奥行き方向は従来の大きさを踏襲することができる。
【手続補正４】
【補正対象書類名】明細書
【補正対象項目名】０００５
【補正方法】変更
【補正の内容】
【０００５】
また、第３の例としては、図４に示すように、固定されたスピンドルモータ１２３を挟んで、それぞれ送り機構を有するＣＤ／ＤＶＤコンボ用の光学ピックアップ１２０ａとＢＤ用の光学ピックアップ１２０ｂとを対向に配置し、それぞれの光学ピックアップ１２０ａ，１２０ｂをガイド軸１２４に沿って移動させることが挙げられる。
【手続補正５】
【補正対象書類名】明細書
【補正対象項目名】０００７
【補正方法】変更
【補正の内容】
【０００７】
しかしながら、上述した第１の例の場合、３波長対応型の対物レンズ１０１を製造することが困難であるため、実現性・コスト面で問題が残る。
【手続補正６】
【補正対象書類名】明細書
【補正対象項目名】０００８
【補正方法】変更
【補正の内容】
【０００８】
また、上述した第２の例の場合、記録密度の異なる光学ディスクによって、対物レンズ端面と光学ディスクの信号記録層までのワーキングディスタンスが異なるために、基準状態で実現可能な光学ディスクを除く全ての光学ディスクにおいては、記録・再生する度にワーキングディスタンスを調整する必要がある。
また、複数の対物レンズ間のスキューを、それぞれの光学ディスクのスキューマージン内に収めるか、又は基準状態でスキューマージンを外れる全ての光学ディスクについて、記録・再生する度にスキューを調整する必要がある。
また、対物レンズの配置に応じて、２つの対物レンズ中心をガイド軸１１４の直行軸上に配置した場合、スピンドルモータ１１３の中心を通りガイド軸１１４に平行な軸上にレンズ中心が配置されない対物レンズを用いる光学ディスクは、対物レンズ中心が前記直線上からずれた状態でも実現すること、或いは記録・再生する度に対物レンズ中心が前記直線上に配置されるように、光学ピックアップ１１０が移動する必要がある。一方、２つの対物レンズ中心を、スピンドルモータ１１３の中心を通りガイド軸１１４に平行な軸上に配置した場合、スピンドルモータ１１３から遠い位置に配置された対物レンズによって光学ディスクの最内周を記録・再生することが、位置関係的に困難になる。
さらに、２つの対物レンズ１１１ａ，１１１ｂを１つの２軸アクチュエータ１１２に搭載することで可動部重量が増加し、２軸アクチュエータ１１２の動的な性能が劣化するという問題がある。
【手続補正７】
【補正対象書類名】明細書
【補正対象項目名】０００９
【補正方法】変更
【補正の内容】
【０００９】
また、上述した第３の例の場合、２つの送り機構を有するため、光学ディスク装置が奥行き方向（ガイド軸１２４方向）に長大化してしまう。このため、ＡＶ（Audio/Visual）用途のみならずＰＣ（Personal Computer）用内蔵ストレージへの展開を考えた場合に、いわゆるハーフハイトの内蔵ドライブベイ（約４２Ｈ×約１４６Ｗ×約２００Ｄｍｍ）のサイズ内に収めることができないという問題がある。
【手続補正８】
【補正対象書類名】明細書
【補正対象項目名】００１１
【補正方法】変更
【補正の内容】
【００１１】
上述した目的を達成するために、本発明に係る光ディスク装置は、光学ディスクの中心部分を保持して該光学ディスクを回転操作する回転操作手段と、それぞれ集光手段と、少なくとも１以上の波長の光ビームを発生する光源と、上記光源から発せられ上記集光手段により上記光学ディスクの信号記録面上に集光され該信号記録面から反射された光束を検出する光検出器とを有し、上記回転操作手段に対して互いに対向する位置に設けられた第１，第２の光学ピックアップと、上記回転操作手段を上記第１，第２の光学ピックアップ間で移動させる移動手段とを備える。
【手続補正９】
【補正対象書類名】明細書
【補正対象項目名】００１２
【補正方法】変更
【補正の内容】
【００１２】
このような光ディスク装置では、第１，第２の光学ピックアップが回転操作手段を挟んで対向に配置されており、移動手段により回転操作手段を第１，第２の光学ピックアップ間で移動させる。
【手続補正１０】
【補正対象書類名】明細書
【補正対象項目名】００１３
【補正方法】変更
【補正の内容】
【００１３】
本発明に係る光ディスク装置によれば、第１，第２の光学ピックアップを回転操作手段を挟んで対向に配置し、移動手段により回転操作手段を第１，第２の光学ピックアップ間で移動させるため、第１，第２の光学ピックアップについてそれぞれ移動手段を設ける場合よりも小型化することができ、ＰＣ用内蔵ストレージへの展開も可能となる。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】変更
【補正の内容】
【００２３】
本実施の形態における光ディスク装置では、以下に説明するように、例えばＣＤ／ＤＶＤコンボ用の光学ピックアップと例えばＢＤ用の光学ピックアップとを、スピンドルモータ（回転操作手段）を挟んで対向に配置し、スピンドルモータに付随した送り機構（移動手段）により、スピンドルモータをガイド軸に沿って２つの光学ピックアップ間で移動させる。
【手続補正２０】
【補正対象書類名】明細書
【補正対象項目名】００２４
【補正方法】変更
【補正の内容】
【００２４】
本実施の形態における光ディスク装置の概略構成を図１に示す。図１に示すように、本実施の形態における光ディスク装置１は、例えばＣＤ／ＤＶＤコンボ用である光学ピックアップ１０ａと、例えばＢＤ用である光学ピックアップ１０ｂと、光学ディスク３０をクランプするターンテーブル１１と、光学ディスク３０を回転させるスピンドルモータ１２と、リードナット１３の配設されたスピンドルモータ基台１４と、ボールネジ１５の配設された駆動モータ１６と、ガイド軸１７と、軸受け１８とがシャーシ２３に搭載されて構成されたものである。ここで、リードナット１３、スピンドルモータ基台１４、ボールネジ１５、駆動モータ１６、ガイド軸１７及び軸受け１８により、スピンドルモータ１２の送り機構が構成される。
【手続補正２１】
【補正対象書類名】明細書
【補正対象項目名】００３５
【補正方法】変更
【補正の内容】
【００３５】
【図１】本実施の形態における光ディスク装置の概略構成を説明する図である。
【図２】ＣＤ、ＤＶＤ及びＢＤに対する記録・再生が可能な光ディスク装置として従来考えられる第１の例を示す図である。
【図３】ＣＤ、ＤＶＤ及びＢＤに対する記録・再生が可能な光ディスク装置として従来考えられる第２の例を示す図である。
【図４】ＣＤ、ＤＶＤ及びＢＤに対する記録・再生が可能な光ディスク装置として従来考えられる第３の例を示す図である。
【手続補正２２】
【補正対象書類名】図面
【補正対象項目名】図１
【補正方法】変更
【補正の内容】
【図１】
2005056487.tif 000007
【手続補正２３】
【補正対象書類名】図面
【補正対象項目名】図２
【補正方法】変更
【補正の内容】
【図２】
2005056487.tif 000008
【手続補正２４】
【補正対象書類名】図面
【補正対象項目名】図３
【補正方法】変更
【補正の内容】
【図３】
2005056487.tif 000009
【手続補正２５】
【補正対象書類名】図面
【補正対象項目名】図４
【補正方法】変更
【補正の内容】
【図４】
2005056487.tif 000010